【手続補正書】
【提出日】平成18年8月15日(2006.8.15)
【手続補正１】
【補正対象書類名】特許請求の範囲
【補正対象項目名】全文
【補正方法】変更
【補正の内容】
【特許請求の範囲】
【請求項１】
実質的Ｌ字形状の断面を形成する上部脚（４）及び下部脚（２）を備え、前記下部脚（２）は１つ以上の突部（３）を有する、載置用レッジ（１）において、
前記載置用レッジ（１）に１つ以上の固定手段（５）が一体成形されることを特徴とする、載置用レッジ（１）。
【請求項２】
前記固定手段はクリップ（５）の形状を有することを特徴とする、請求項１に記載の載置用レッジ（１）。
【請求項３】
前記クリップ（５）は、前記載置用レッジ（１）の前記上部脚（４）に一体化されるとともに、前記載置用レッジ（１）に固定されるフレーム（１６）の形状と２つの折り曲げ可能部分（１７）とを有し、該２つの折り曲げ可能部分（１７）の各々は、前記フレーム（１６）に固定される折り曲げ可能な１つの端部と前記載置用レッジ（１）に着脱可能に固定される１つの端部とを有することを特徴とする、請求項２に記載の載置用レッジ（１）。
【請求項４】
前記フレーム（１６）から離れた前記折り曲げ可能部分（１７）の端部は、前記載置用レッジ（１）に着脱可能に固定されることを特徴とする、請求項３に記載の載置用レッジ（１）。
【請求項５】
前記固定手段（５）が前記上部脚（４）の開口部（６）に設けられることと、４つの固定手段（５）が各載置用レッジ（１）に設けられることとの少なくとも一方を特徴とする、請求項１〜４のいずれか１項に記載の載置用レッジ（１）。
【請求項６】
前記下部脚及び上部脚（２、４）が互いに対して僅かに傾斜していることと、少なくとも前記下部脚（２）の外側端部が僅かに上方に傾斜していることとの少なくとも一方を特徴とする、請求項１〜５のいずれか１項に記載の載置用レッジ（１）。
【請求項７】
前記突部（３）は床又はその類似物の上に配置できるように下方に延び、前記突部（３）の少なくとも３つの側面は水平面に対して９０°未満の角度（α、β）を形成することを特徴とする、請求項１〜６のいずれか１項に記載の載置用レッジ（１）。
【請求項８】
各突部（３）が有する、該突部に隣接する突部（３）に面する前記側面及び前記載置用レッジ（１）の短い端部に面する前記側面の前記角度（α）は、５０°〜７０°の間であるとともに、前方に面する各突部（３）の前記側面すなわち前記下部脚（２）の他の端部に最も近い前記側面の前記角度（β）は、４０°〜６０°の間であることを特徴とする、請求項７に記載の載置用レッジ（１）。
【請求項９】
各突部（３）が有する、該突部に隣接する突部（３）に面する前記側面及び前記載置用レッジ（１）の短い端部に面する前記側面の前記角度（α）は、６０°〜７０°の間であるとともに、前方に面する各突部（３）の前記側面すなわち前記下部脚（２）の他の端部に最も近い前記側面の前記角度（β）は、４５°〜５５°の間であることを特徴とする、請求項８に記載の載置用レッジ（１）。
【請求項１０】
各突部（３）が有する、該突部に隣接する突部（３）に面する前記側面及び前記載置用レッジ（１）の短い端部に面する前記側面の前記角度（α）は６６．４°であるとともに、前方に面する各突部（３）の前記側面すなわち前記下部脚（２）の他の端部に最も近い前記側面の前記角度（β）は５２°であることを特徴とする、請求項９に記載の載置用レッジ（１）。
【請求項１１】
アダプタ（１１、１２）が各突部（３）上で受容されることを特徴とする、請求項１〜１０のいずれか１項に記載の載置用レッジ（１）。
【請求項１２】
前記アダプタは複数の突起（３）に配置されるアダプタセット（７）の形状を有し、該アダプタセット（７）はボード（９）及び２つ以上のアダプタ（８、１１）を有することを特徴とする、請求項１１に記載の載置用レッジ（１）。
【請求項１３】
１つの別個のアダプタ（１２）が各突部（３）上に配置されることを特徴とする、請求項１１に記載の載置用レッジ（１）。
【請求項１４】
各アダプタ（８、１１、１２）は、各突部（３）の開口部に固定式に接続されるための手段を有することを特徴とする、請求項８〜１３のいずれか１項に記載の載置用レッジ（１）。
【請求項１５】
前記アダプタ（８、１１、１２）の前記手段はペグ（１０）であることを特徴とする、請求項１３に記載の載置用レッジ（１）。
【請求項１６】
約７５９ｍｍの長さを有し、前記上部脚（４）は約１００ｍｍの高さを有し、前記下部脚（２）は約１５０ｍｍの幅を有し、各突部（３）は約４５ｍｍの高さを有することを特徴とする、請求項１〜１５のいずれか１項に記載の載置用レッジ（１）。
【請求項１７】
３つの突部（３）が前記載置用レッジ（１）に設けられ、該３つの突部（３）のうち１つは、他の２つの突部の間に配置されるとともに他の２つの突部より大きい底部を有することを特徴とする、請求項１〜１６のいずれか１項に記載の載置用レッジ（１）。
【請求項１８】
重量低減用の開口部（１５）を有することを特徴とする、請求項１〜１７のいずれか１項に記載の載置用レッジ（１）。
【請求項１９】
前記重量低減用の開口部は、前記載置用レッジ（１）の前記上部脚（４）に設けられることを特徴とする、請求項１８に記載の載置用レッジ（１）。
【請求項２０】
２つ以上の請求項１〜１９のいずれか１項に記載の載置用レッジ（１）が、該載置用レッジ（１）上の品物（１９）を固定するストラップ（１４）とともに使用されることを特徴とする、単位荷物を形成するためのシステム。
【請求項２１】
エッジ保護具（１３）が、１つ以上の前記ストラップ（１４）と前記品物（１９）のエッジとの間に配置されて使用されることを特徴とする、請求項２０に記載のシステム。
【請求項２２】
クリップ形状の固定手段が前記エッジ保護具（１３）に一体的に形成され、該固定手段は前記ストラップ（１４）を固定することを特徴とする、請求項２１に記載のシステム。
【手続補正２】
【補正対象書類名】明細書
【補正対象項目名】００２６
【補正方法】変更
【補正の内容】
【００２６】
突部３は、複数の載置用レッジ１の積み重ねを補助するために、傾斜した側面を有する。載置用レッジ１の上部脚４と同一面内に配置された各突部３の側面は、通常は傾斜していない。隣接する突部３及び載置用レッジ１の短い端部に面する各突部３の側面は、水平面に関して角度αの傾斜を有する。角度αは通常５０°〜７０°の間であり、好ましくは６０°〜７０°の間であり、最も好ましくは６６．４°である。前方に面する各突部３の側面、すなわち下部脚２の他の端部に最も近い側面は、水平面に関して角度βの傾斜を有する。角度βは通常４０°〜６０°の間であり、好ましくは４５°〜５５°の間であり、最も好ましくは５２°である。中央に配置された突部３の寸法は通常、他の突部３の寸法よりもいくらか大きい。
【手続補正３】
【補正対象書類名】明細書
【補正対象項目名】００３３
【補正方法】変更
【補正の内容】
【００３３】
載置用レッジ１及びアダプタ７、１０は通常、不使用時には別個に保管され、すなわちアダプタ７、１０は載置用レッジ１に取付けられない。
【手続補正４】
【補正対象書類名】明細書
【補正対象項目名】００３４
【補正方法】変更
【補正の内容】
【００３４】
使用時は、少なくとも２つの載置用レッジ１が品物１９の底部に配置される。２つの載置用レッジ１は、品物１９の互いに反対側に配置される。載置用レッジ１によって形成される単位荷物の種々の形態が図４に示される。ストラップ１４は、クリップ５に隣接する開口部６と、上部脚４のクリップ５のフレーム１６との双方を通して引かれる。この種のクリップ５については通常、ストラップ１４が強く引かれるに従って締め付けが強固になる。